(57)【要約】【課題】  炉本体内から噴出した内容物の飛散を抑制可能にした電気炉を提供する。【解決手段】  炉本体１１と、炉本体１１の開口部１１Ｔを閉じる炉蓋２１と、炉蓋２１を通じて炉本体１１に挿入される黒鉛黒鉛電極３１と、炉本体１１と炉蓋２１との境界Ｂを炉外で覆う遮蔽体４１と、を備える。遮蔽体４１は、上下方向において、境界Ｂよりも上側、および、境界Ｂよりも下側に位置し、開口部１１Ｔの周方向に延びる帯状を有した板部材４２を備える。【選択図】図２
2020085312.tif 000002
【特許請求の範囲】
【請求項１】
開口部を有した炉本体と、
前記開口部を閉じる炉蓋と、
前記炉蓋を通じて前記炉本体に挿入される黒鉛電極と、
前記炉本体と前記炉蓋との境界を炉外に対し覆う遮蔽体と、
を備える電気炉。
【請求項２】
前記遮蔽体は、前記境界の水平方向に位置し、かつ、水平面に対し所定の角度を有して交差する板状を有する
請求項１に記載の電気炉。
【請求項３】
前記遮蔽体は、前記境界に沿う周方向に延びる帯状を有した板部材を備える
請求項１または２に記載の電気炉。
【請求項４】
前記遮蔽体は、前記遮蔽体と前記炉本体との間に上方および下方の少なくとも一方を開放した隙間を空けて、前記炉本体の外皮に固定される
請求項１から３のいずれか一項に記載の電気炉。
【請求項５】
前記遮蔽体は、前記炉本体の中心に対し、前記黒鉛電極に電力を供給するための電気室側に位置する
請求項１から４のいずれか一項に記載の電気炉。
【発明の詳細な説明】
【技術分野】
【０００１】
本発明は、スクラップなどの金属材料から溶鋼を生成する電気炉に関する。
【背景技術】
【０００２】
上記電気炉は、金属材料を装入された炉本体内に黒鉛電極を挿入して、黒鉛電極に供給される電気エネルギーによって溶鋼を生成する。炉本体内で生成された溶鋼は、炉本体内から取鍋に出鋼されて、鋼片や半製品に鋳造される（例えば、特許文献１，２，３を参照）。
【先行技術文献】
【特許文献】
【０００３】
【特許文献１】特開２０１６−０９０１４０号公報
【特許文献２】特開２００４−１３９７６３号公報
【特許文献３】特開２００１−２２１５７４号公報
【発明の概要】
【発明が解決しようとする課題】
【０００４】
一方、上述した各文献の電気炉は、炉本体の内壁面における補修の高効率化、黒鉛電極と炉本体との間での絶縁性の向上、および、生産性の向上を図れるが、炉本体内で生成された気体などの内容物が炉本体内から飛散することに関し何ら考慮がなされていない。炉本体内から飛散する内容物は高温かつ高圧であるため、こうした内容物の飛散を抑制することは電気炉の使用環境における安全性を向上するうえで非常に重要な課題となっている。
本発明の目的は、炉本体内から噴出した内容物の飛散を抑制可能にした電気炉を提供することである。
【課題を解決するための手段】
【０００５】
上記課題を解決するための電気炉は、炉本体と、前記炉本体の開口部を閉じる炉蓋と、前記炉蓋を通じて前記炉本体に挿入される黒鉛電極と、前記炉本体と前記炉蓋との境界を炉外で覆う遮蔽体と、を備える。この電気炉によれば、炉本体と炉蓋との境界が遮蔽体によって炉外で覆われるため、炉内の異常時に炉本体と炉蓋との境界から噴出した内容物が噴出時の高いエネルギーを有して飛散することを抑制し、高いエネルギーを有した内容物が電気炉以外に直撃することによる被災を遮蔽体が防止する。
【０００６】
上記電気炉において、前記遮蔽体は、前記境界の水平方向に位置し、かつ、水平面に対し所定の角度を有して交差する板状を有してもよい。この電気炉によれば、噴出時の高いエネルギーを有した内容物が炉本体と炉蓋との境界から水平方向へ飛散することを抑制可能である。
【０００７】
上記電気炉において、前記遮蔽体は、前記炉本体と前記炉蓋との境界に沿う周方向に延びる帯状を有した板部材であってもよい。この電気炉によれば、前記炉本体と前記炉蓋との境界に沿う周方向に遮蔽体が延在するため、遮蔽体は、前記炉本体と前記炉蓋との境界の一部から噴出した内容物から受ける圧力を上方、下方、周方向などの多方向に分散可能である。
【０００８】
上記電気炉において、前記遮蔽体は、前記遮蔽体と前記炉本体との間に、上方および下方の少なくとも一方を開放した隙間を空けて、前記炉本体の外皮に固定されてもよい。この電気炉によれば、炉本体の外皮に遮蔽体が固定されるため、遮蔽体が炉本体以外に固定される構成と比べて、境界と遮蔽体との間の相対位置を所望の位置に維持することが容易である。そして、遮蔽体と炉本体との間に開放した隙間を空けているため、遮蔽体は、境界から噴出した内容物を上方もしくは下方、または双方に分散可能である。
【０００９】
上記電気炉において、前記遮蔽体は、前記炉本体の中心に対し、前記黒鉛電極に電力を供給するための電気室側や作業室側に位置してもよい。この電気炉によれば、炉本体の周囲のなかの電気室に向けた飛散が効果的に抑制可能である。また、前記遮蔽体は、前記炉本体の全周に配置してもよい。
【図面の簡単な説明】
【００１０】
【図１】電気炉の一実施形態における上面視での構造を概略的に示す平面図。
【図２】図１のII−II線における断面構造を概略的に示す断面図。
【図３】電気炉の変更例における断面構造を概略的に示す断面図。
【発明を実施するための形態】
【００１１】
以下、電気炉を連続装入式電気炉に具体化した一実施形態を説明する。
【００１２】
図１が示すように、電気炉は、炉本体１１、炉蓋２１、３体の黒鉛電極３１、および、遮蔽体４１を備える。炉蓋２１は、炉本体１１の開口部１１Ｔ（図２参照）を開閉する。炉蓋２１は、炉本体１１の内部に金属材料を装入するための装入部２２を備える。各黒鉛電極３１は、溶鋼を生成するための電力を電気室から供給される。遮蔽体４１は、複数の遮蔽ブロック４１Ｂから構成される。各遮蔽ブロック４１Ｂは、炉本体１１の周囲のなかで、炉本体１１の中心に対する電気室側に並び、かつ、電気室側とは反対側に位置しない。
【００１３】
図２が示すように、炉本体１１は、開口部１１Ｔを有した有底の筒状を有する。炉本体１１は、開口部１１Ｔを区画する炉壁１２と、炉壁１２から連続する炉底１３とを備える。開口部１１Ｔは、電気炉の操業状態において、金属材料を炉本体１１の内部に装入するため、また、黒鉛電極３１を炉本体１１の内部に挿入するために用いられる。開口部１１Ｔは、電気炉の操業停止状態において、炉本体１１の内部を補修するための装置を搬入するためなどに用いられる。開口部１１Ｔの上端面は、絶縁性を有したアルミナやマグネシアなどの耐火物から構成される。
【００１４】
炉壁１２は、外皮を構成する鉄皮、および、水冷ジャケット１４を備える。水冷ジャケット１４は、炉本体１１に対する熱負荷を軽減する。水冷ジャケット１４は、溶鋼Ｍとの接触に起因した水蒸気爆発を防止するために、出鋼口１１Ａよりも上方、かつ、溶鋼Ｍの上面よりも上方に位置する。
【００１５】
炉底１３は、外皮を構成する鉄皮と、炉底１３の内表面を構成する耐火壁とを備える。耐火壁は、アルミナやマグネシアなどの複数層の耐火物から構成されている。炉底１３は、溶鋼を出鋼するための出鋼口１１Ａと、スラグを排出するための排滓口１１Ｂとを備える。出鋼口１１Ａと排滓口１１Ｂとは、黒鉛電極３１を挟んで対向する位置に設けられている。炉底１３の内部で生成された溶鋼Ｍは、炉本体１１の傾動によって出鋼口１１Ａから出鋼される。炉底１３の内部で生成されたスラグは、炉本体１１の傾動によって排滓口１１Ｂから排出される。
【００１６】
黒鉛電極３１は、炉蓋２１が開口部１１Ｔを閉じた状態で、炉本体１１の上方から炉蓋２１を貫通して炉本体１１の内部に挿入される。３体の黒鉛電極３１は、電気室から三相の交流電力を供給されて、溶鋼Ｍを生成するためのアーク放電を炉本体１１の内部に誘起する。
【００１７】
遮蔽ブロック４１Ｂは、遮蔽板４２、補強鋼４３、および、連結鋼４４を備える。遮蔽板４２は、境界Ｂの周方向に延在する。複数の遮蔽ブロック４１Ｂは、互いに隣り合う遮蔽板４２が接合されることによって、境界Ｂの周方向に延在する帯状の板部材を構成する（図１参照）。遮蔽板４２、補強鋼４３、および、連結鋼４４は、熱的耐性、および、機械的耐性を有した鉄鋼材から構成される。
【００１８】
各遮蔽板４２は、炉本体１１と炉蓋２１との境界Ｂの水平方向に位置する。互いに隣り合う遮蔽板４２は、ボルトなどの締結部材や溶接などによって接合される。炉本体１１と炉蓋２１との境界Ｂは、開口部１１Ｔの上端面と炉蓋２１の下端面との境界である。各遮蔽板４２は、上下方向において、境界Ｂよりも上側、および、境界Ｂよりも下側に位置する。各遮蔽板４２は、境界Ｂを含む水平面に対し所定の角度を有して交差する板状を有する。各遮蔽板４２と境界Ｂを含む水平面とは、例えば直交する。
【００１９】
補強鋼４３は、遮蔽板４２に対し炉本体１１とは反対側に固定されている。補強鋼４３は、開口部１１Ｔの周方向や上下方向に対し遮蔽板４２が撓むことを抑制する。補強鋼４３は、例えば、上下方向に延在するＨ鋼であって、上下方向に延在する片、および、開口部１１Ｔの周方向に延在する片を備える。
【００２０】
連結鋼４４は、遮蔽板４２の下端部と炉壁１２の鉄皮とを連結する。連結鋼４４は、例えば、炉壁１２の外方に向けて炉壁１２と直交する方向に延在するＨ鋼である。連結鋼４４は、遮蔽板４２と炉壁１２との間に上方を開放した隙間を空ける。連結鋼４４に下端を支持された遮蔽板４２は、境界Ｂから噴出した内容物と衝突し、内容物が有するエネルギーを噴出時から減衰させる。また、遮蔽板４２に衝突した内容物は、それの進行を弱められた状態で、飛散の方向を上方に向けられる。
【００２１】
以上、上記実施形態によれば、以下に列挙する効果が得られる。
（１）炉本体１１と炉蓋２１との境界Ｂは、各遮蔽ブロック４１Ｂによって炉外で覆われる。そのため、炉本体１１の内部から噴出した内容物が噴出時の高いエネルギーを有して飛散することを各遮蔽ブロック４１Ｂが抑制する。そして、噴出時の高いエネルギーを有した内容物が電気炉以外に直撃することによる被災を各遮蔽ブロック４１Ｂが防止する。
【００２２】
（２）各遮蔽板４２は、境界Ｂの水平方向に位置し、かつ、境界Ｂを含む水平面に対し所定の角度を有する。そのため、噴出時の高いエネルギーを有した内容物が境界Ｂから水平方向へ飛散することが抑制可能である。
【００２３】
（３）複数の遮蔽板４２の接合体である板部材は、境界Ｂに沿う周方向に延在する。そのため、遮蔽体４１は、境界Ｂの一部から噴出した内容物から受ける圧力を上方、下方、周方向などの多方向に分散して減衰させることが可能である。
【００２４】
（４）各遮蔽板４２は、炉本体１１の鉄皮に連結鋼４４で固定される。そのため、電気炉が設置される施設などのような電気炉の外部に各遮蔽体４１が固定される構成と比べて、境界Ｂと各遮蔽板４２との間の相対位置を所望の位置に維持することが容易である。
【００２５】
（５）各遮蔽板４２と炉本体１１とを連結する連結鋼４４は、遮蔽板４２と炉本体１１との間に上方を開放した隙間を空ける。そのため、遮蔽体４１は、境界Ｂから噴出した内容物を上向に分散させて、炉壁１２の周囲に対し直接飛散することを抑制する。
【００２６】
（６）各遮蔽ブロック４１Ｂは、炉本体１１の周囲のなかで、炉本体１１の中心に対する電気室側に並び、かつ、電気室側とは反対側に位置しない。そのため、境界Ｂから噴出した内容物が電気室に向けて飛散することが抑制可能となる。
【００２７】
なお、上記実施形態は、次のように変更して実施することも可能である。
［遮蔽部］
・遮蔽ブロック４１Ｂは、開口部１１Ｔにおいて周方向の全体にわたり並ぶことも可能である。遮蔽ブロック４１Ｂが周方向の全体に並ぶ構成であれば、内容物の飛散を開口部１１Ｔの全周にわたり抑制可能ともなる。
【００２８】
・遮蔽ブロック４１Ｂは、炉本体１１の中心に対し、電気炉の保守や点検を行うための作業室側に位置することも可能である。遮蔽ブロック４１Ｂが作業室側に位置する構成であれば、噴出時の高いエネルギーを有した内容物が作業室に向けて飛散することが抑制可能ともなる。
【００２９】
・遮蔽ブロック４１Ｂは、炉本体１１に固定される構成に限らず、例えば、図３が示すように、炉蓋２１に固定される構成、あるいは、電気炉が設置される施設のなかの構造体に固定される構成に変更可能である。
【００３０】
・遮蔽板４２の上下方向における長さは適宜変更可能である。また、遮蔽板４２の位置は、境界Ｂの水平方向から外れた位置であってもよく、内容物が境界Ｂから噴出する方向に位置する構成であればよい。
【００３１】
・遮蔽板４２の形状は、境界Ｂに対して水平方向から境界Ｂを囲う凹面状に変更可能である。遮蔽板４２が凹面状を有する構成であれば、遮蔽板４２に対し上方や下方に向けて内容物が飛散することも抑制し、遮蔽板４２に向けて飛散した内容物を炉本体１１や炉蓋２１に向けて跳ね返らせやすくもなる。
【００３２】
・遮蔽板４２と炉本体１１との間に形成される隙間は、上方に開放される構成に限らず、下方に開放されてもよく、あるいは、上方および下方の双方に開放されてもよい。
【００３３】
［電気炉］
・電気炉は、連続装入式電気炉に限らず、１本の黒鉛電極を備えて電磁的な攪拌を可能にした直流式電気炉、スラグを炉内に残して溶鋼だけを出湯する偏心炉底出鋼式電気炉、内容物にアルゴンガスや石炭などを加えて攪拌する取鍋精錬炉に変更可能である。要は、電気炉は、炉本体と炉蓋との境界を炉外から覆う遮蔽部を備えた構成であればよい。
【符号の説明】
【００３４】
Ｂ…境界、Ｍ…溶鋼、１１…炉本体、１１Ａ…出鋼口、１１Ｂ…排滓口、１１Ｔ…開口部、１２…炉壁、１３…炉底、１４…水冷ジャケット、２１…炉蓋、２２…装入部、３１…黒鉛電極、４１…遮蔽体、４１Ｂ…遮蔽ブロック、４２…遮蔽板、４３…補強鋼、４４…支持鋼。
【図１】
2020085312.tif 000003
【図２】
2020085312.tif 000004
【図３】
2020085312.tif 000005